(57)【要約】  無線通信システムにおいて、端末は、逆方向リンクにおけるソフトハンドオフのために、サービング基地局及び少なくとも１つのソフトハンドオフ（ＳＨＯ）基地局と通信する。１つの設計において、サービング基地局は、逆方向リンクにおける伝送に対して端末をスケジュールし、端末に対する割当てを形成し、端末に対するシグナリングを生成する。割当ては、逆方向リンクにおける伝送のために端末によって使用される通信パラメータを示す。シグナリングは、ＳＨＯ基地局が端末からの伝送を受信し処理することを可能にする十分な情報を含む。サービング基地局は、シグナリングをバックホールを介してＳＨＯ基地局に送信する。各ＳＨＯ基地局はバックホールを介してシグナリングを受信し、逆方向リンクを介して端末から伝送を受信し、シグナリングに従って伝送を処理し、伝送において送信されたデータを回復する。【選択図】      図２
2009506726.tif 000002
【特許請求の範囲】
【請求項１】
通信システムの逆方向リンクにおいてソフトハンドオフを行う端末に対するシグナリングを、バックホールを介して受信するように構成されたインタフェースユニットと、
前記端末から受信した伝送を前記シグナリングにしたがって復号して、前記伝送において送信されたデータを回復するように構成された少なくとも１つのプロセッサと、
を含む装置。
前記シグナリングは、前記伝送のパケットフォーマットを示す情報を含む、請求項１に記載の装置。
【請求項２】
前記インタフェースユニットは、前記端末からの前記伝送の到達前に前記シグナリングを受信するように構成されている、請求項１に記載の装置。
【請求項３】
前記少なくとも１つのプロセッサは、前記シグナリングの受信後に受信した前記伝送の部分を前記シグナリングに従って復号して、前記伝送において送信された前記データを回復するように構成されている、請求項１に記載の装置。
【請求項４】
前記端末からの前記伝送は複数のデータブロックを含み、前記少なくとも１つのプロセッサは、前記シグナリングの受信後に受信した前記複数のデータブロックの少なくとも１つを復号して、前記伝送において送信された前記データを回復するように構成されている、請求項１に記載の装置。
【請求項５】
前記逆方向リンクを介して受信した信号のデータを格納するように構成されたメモリをさらに含み、前記受信した信号は、前記端末からの前記伝送を含む、請求項１に記載の装置。
【請求項６】
前記少なくとも１つのプロセッサは、前記メモリに格納された前記データを前記シグナリングに従って復号して、前記伝送において送信された前記データを回復するように構成されている、請求項５に記載の装置。
【請求項７】
前記端末からの前記伝送は少なくとも１つのデータブロックを含み、前記少なくとも１つのプロセッサは、前記メモリに格納された前記データの前記少なくとも１つのデータブロックを復号して、前記伝送において送信された前記データを回復するように構成されている、請求項５に記載の装置。
【請求項８】
前記少なくとも１つのプロセッサは、前記メモリに格納された前記データを少なくとも１つの復号仮説に基づいて復号して、前記伝送において送信されたデータを回復するように構成され、前記端末からの前記伝送は少なくとも１つのデータブロックを含み、各復号仮説は前記伝送において送信されたデータブロックの異なる仮定に対応している、請求項５に記載の装置。
【請求項９】
前記少なくとも１つのプロセッサは、前記伝送において送信された１つのデータブロックに対応する第１の復号仮説から始めて順番に、前記少なくとも１つの復号仮説に対して復号を行うように構成され、各後続の復号仮説は前記伝送において送信された追加のデータブロックに対応している、請求項８に記載の装置。
【請求項１０】
前記少なくとも１つのプロセッサは、前記伝送が正しく復号された場合に肯定応答（ＡＣＫ）を生成するように構成されている、請求項１に記載の装置。
【請求項１１】
前記少なくとも１つのプロセッサは、前記ＡＣＫを前記端末に送信するように構成されている、請求項１０に記載の装置。
【請求項１２】
前記インタフェースユニットは、前記ＡＣＫを前記バックホールを介して送信するように構成されている、請求項１０に記載の装置。
【請求項１３】
前記伝送に対する肯定応答（ＡＣＫ）が前記バックホールを介して受信された場合に、前記少なくとも１つのプロセッサは、前記伝送の復号を終了するように構成されている、請求項１に記載の装置。
【請求項１４】
前記少なくとも１つのプロセッサは、前記端末から受信した前記伝送に対して直交周波数分割多重（ＯＦＤＭ）復調を行うように構成されている、請求項１に記載の装置。
【請求項１５】
前記少なくとも１つのプロセッサは、前記端末から受信した前記伝送に対してシングルキャリア周波数分割多元接続（ＳＣ−ＦＤＭＡ）復調を行うように構成されている、請求項１に記載の装置。
【請求項１６】
通信システムの逆方向リンクにおいてソフトハンドオフを行う端末に対するシグナリングを、バックホールを介して受信するステップと、
前記端末から受信した伝送を前記シグナリングに従って復号して、前記伝送において送信されたデータを回復するステップと、
を含む方法。
【請求項１７】
前記逆方向リンクを介して受信した信号のデータを格納するステップをさらに含む方法であって、前記受信した信号は前記端末からの前記伝送を含み、前記伝送を復号するステップは、前記メモリに格納された前記データを前記シグナリングに従って復号して、前記伝送において送信された前記データを回復するステップと、
を含む、請求項１６に記載の方法。
【請求項１８】
前記伝送が正しく復号された場合に、前記伝送に対する肯定応答（ＡＣＫ）を生成するステップと、前記ＡＣＫを前記端末に送信するステップと、
をさらに含む、請求項１６に記載の方法。
【請求項１９】
通信システムの逆方向リンクにおいてソフトハンドオフを行う端末に対するシグナリングを、バックホールを介して受信する手段と、
前記端末から受信した伝送を前記シグナリングに従って復号して、前記伝送において送信されたデータを回復する手段と、
を含む装置。
【請求項２０】
前記逆方向リンクを介して受信した信号のデータを格納する手段をさらに含み、前記受信した信号は前記端末からの前記伝送を含み、前記伝送を復号する前記手段は、前記メモリに格納された前記データを前記シグナリングに従って復号して、前記伝送において送信された前記データを回復する手段を含む、請求項１９に記載の装置。
【請求項２１】
前記伝送が正しく復号された場合に、肯定応答（ＡＣＫ）を生成する手段と、
前記ＡＣＫを、生成された場合に前記端末に送信する手段と、
をさらに含む請求項１９に記載の装置。
【請求項２２】
複数の基地局と逆方向リンクのソフトハンドオフを行う端末を識別し、前記端末に対するシグナリングを生成するように構成された少なくとも１つのプロセッサと、
前記複数の基地局の中の少なくとも１つの基地局にバックホールを介して前記シグナリングを送信するように構成されたインタフェースユニットと、
を含む、装置。
【請求項２３】
前記シグナリングは、前記端末に対する時間及び周波数の割り振りを示す、請求項２２に記載の装置。
【請求項２４】
前記シグナリングは、前記逆方向リンクにおける伝送に対して前記端末によって使用される符号化及び変調を示す、請求項２２に記載の装置。
【請求項２５】
前記インタフェースユニットが前記シグナリングを前記バックホールを介して送信した後で、前記端末に割当てを送信するように構成された少なくとも１つの送信機をさらに含む、請求項２２に記載の装置。
【請求項２６】
前記インタフェースユニットが前記シグナリングを前記バックホールを介して送信するのと同時に、前記端末に割当てを送信するように構成された少なくとも１つの送信機をさらに含む、請求項２２に記載の装置。
【請求項２７】
前記少なくとも１つのプロセッサは、前記逆方向リンクを介して前記端末から伝送を受信し、前記端末に対する割当てに従って前記伝送を復号するように構成されている、請求項２２に記載の装置。
【請求項２８】
前記少なくとも１つのプロセッサは、前記伝送に対して、正しく復号された場合に肯定応答（ＡＣＫ）を生成し、前記ＡＣＫを、生成された場合に前記端末に送信するように構成されている、請求項２７に記載の装置。
【請求項２９】
前記インタフェースユニットは、前記ＡＣＫを前記バックホールを介して送信するように構成されている、請求項２８に記載の装置。
【請求項３０】
前記少なくとも１つのプロセッサは、前記端末に対するソフトハンドオフを開始するように構成されている、請求項２８に記載の装置。
【請求項３１】
複数の基地局と逆方向リンクにおいてソフトハンドオフを行う端末を識別するステップと、
前記端末に対するシグナリングを生成するステップと、
前記複数の基地局の中の少なくとも１つの基地局にバックホールを介して前記シグナリングを送信するステップと、
を含む方法。
【請求項３２】
前記逆方向リンクを介して前記端末から伝送を受信するステップと、
割当てに従って前記伝送を復号するステップと、
前記伝送に対して、正しく復号された場合に肯定応答（ＡＣＫ）を生成するステップと、
前記ＡＣＫを、生成された場合に前記端末に送信するステップと、
をさらに含む、請求項３１に記載の方法。
【請求項３３】
複数の基地局と逆方向リンクにおいてソフトハンドオフを行う端末を識別する手段と、
前記端末に対するシグナリングを生成する手段と、
前記複数の基地局の中の少なくとも１つの基地局にバックホールを介して前記シグナリングを送信する手段と、
を含む装置。
【請求項３４】
前記逆方向リンクを介して前記端末から伝送を受信する手段と、
割当てに従って前記伝送を復号する手段と、
前記伝送に対して、正しく復号された場合に肯定応答（ＡＣＫ）を生成する手段と、
前記ＡＣＫを、生成された場合に前記端末に送信する手段と、
をさらに含む、請求項３３に記載の装置。
【請求項３５】
通信システムの逆方向リンクにおいてソフトハンドオフを行う端末から伝送を受信するように構成された少なくとも１つの受信機であって、前記伝送は、複数の周波数サブバンドの周波数サブバンドのセットにおいて送信される、少なくとも１つの受信機と、
前記伝送を処理して、前記伝送においてデータを送信する前記端末によって使用された少なくとも１つの通信パラメータを得て、前記少なくとも１つの通信パラメータに従って前記伝送を復号して、前記伝送において送信された前記データを回復するように構成された少なくとも１つのプロセッサと、
を含む装置。
【請求項３６】
前記少なくとも１つのプロセッサは、前記逆方向リンクを介して受信した信号を複数のチャネル割当て仮説に対して処理して、前記端末からの前記伝送を識別するように構成されている、請求項３５に記載の装置。
【請求項３７】
前記複数のチャネル割当て仮説の各々に対して、前記少なくとも１つのプロセッサは、複数のスクランブリング系列を用いてデスクランブリングを行い、前記端末からの前記伝送を識別するように構成されている、請求項３６に記載の装置。
【請求項３８】
前記少なくとも１つのプロセッサは、前記端末からの前記伝送に対して直交周波数分割多重（ＯＦＤＭ）復調を行うように構成されている、請求項３５に記載の装置。
【請求項３９】
少なくとも１つの通信パラメータに従って入力データを処理して出力データを生成し、複数の周波数サブバンドの中からの周波数サブバンドのセットにマップされた前記出力データ及び前記少なくとも１つの通信パラメータを有する伝送を生成するように構成された少なくとも１つのプロセッサと、
前記伝送を逆方向リンクを介して複数の基地局に送信するように構成された少なくとも１つの送信機と、
を含む装置。
【請求項４０】
前記少なくとも１つのプロセッサは、前記伝送に使用する前記少なくとも１つの通信パラメータ及び前記周波数サブバンドのセットを示す割当てを、前記複数の基地局の１つから受信するように構成されている、請求項３９に記載の装置。
【請求項４１】
前記少なくとも１つのプロセッサは、スクランブリング系列を用いて前記少なくとも１つの通信パラメータをスクランブルし、前記少なくとも１つのスクランブルされた通信パラメータを用いてプリアンブルを形成し、前記プリアンブルと前記出力データとを有する前記伝送を生成するように構成されている、請求項３９に記載の装置。
【請求項４２】
前記少なくとも１つのプロセッサは、前記複数の基地局とのソフトハンドオフを要求するように構成されている、請求項３９に記載の装置。
【発明の詳細な説明】
【技術分野】
【０００１】
米国特許法１１９条のもとでの優先権の主張
本出願は、２００５年８月２９日出願の米国特許仮出願第６０／７１２，４８６号（名称「Reverse Link Soft Handoff and Decoding in Orthogonal Frequency Division Multiple Access Communication Systems（直交周波数分割多元接続通信システムにおける逆方向リンクのソフトオフ及び復号）」）、並びに２００５年１０月６日出願の米国特許出願第６０／７２４，００４号（名称「Reverse Link Soft Handoff in A Wireless Communication System（無線通信システムにおける逆方向リンクのソフトハンドオフ）」）に対して優先権を主張し、上記出願の両者は、本出願の譲受人に譲渡され、参照により全体として本出願に組み込まれる。
【０００２】
本開示は、全体的に通信に関し、より具体的には無線通信システムにおけるデータ送信の技術に関する。
【背景技術】
【０００３】
無線多元接続通信システムは、順方向及び逆方向リンクにおける複数の端末に対する通信を同時にサポートすることができる。順方向リンク（またはダウンリンク）とは、基地局から端末への通信リンクを指し、逆方向リンク（またはアップリンク）とは、端末から基地局への通信リンクを指す。複数の端末は同時に、逆方向リンクにおいてデータを送信し、及び／又は順方向リンクにおいてデータを受信することができる。これは、各リンクにおける伝送を、時間、周波数、及び／又は符号領域において直交するように多重化することによって達成することができる。直交性は、各端末の伝送が他の端末の伝送に対して起こす干渉を確実に最小化する。
【０００４】
通信システムはソフトハンドオフをサポートすることができ、ソフトハンドオフは、端末が複数の基地局と同時に通信するプロセスである。順方向リンクにおけるソフトハンドオフでは、複数の基地局が端末にデータを同時に送信し、端末はこれら基地局からの伝送を結合して性能を向上することができる。逆方向におけるソフトハンドオフでは、端末が複数の基地局にデータを送信し、基地局は端末からの伝送を独立して復号することができる。これに換えて、指定された基地局又はネットワークエンティティが複数の基地局によって受信された伝送を結合し、その結合された出力を復号することもある。順方向及び逆方向リンクの両者において、データが異なる位置の複数の基地局へ、又は基地局から送信されるので、ソフトハンドオフは、有害なパスの影響に対して空間ダイバーシティ（ｓｐａｔｉａｌ  ｄｉｖｅｒｓｉｔｙ）を与える。
【０００５】
順方向リンクにおけるソフトハンドオフでは、各基地局は無線リンク資源を費やして、端末に送信する。無線リンク資源は、周波数、時間、符号、送信電力、及び／又は他の何らかの量によって量子化されることができる。逆方向リンクにおけるソフトハンドオフでは、端末は、通常、同じ量の無線リンク資源を費やして、１つ又は複数の基地局に送信する。このことから、逆方向リンクのソフトハンドオフを提供するための主なコストは、基地局における追加の処理であるので、逆方向リンクにおけるソフトハンドオフは特に望ましい。
【０００６】
幾つかの通信システムでは、端末が逆方向リンクにおいてデータを送信するやり方は、端末のソフトハンドオフをサポートしている全ての基地局によって事前に決められている、及び／又は知られている。こういったシステムでは、各基地局が端末からの伝送をいつおよびどのように受信するかを知っているので、逆方向リンクにおけるソフトハンドオフを容易にサポートすることができる。しかしながら、一部の通信システムでは、端末が逆方向リンクにおいてデータを送信するやり方が、ソフトハンドオフをサポートしている全ての基地局によって事前に決められていない、及び／又は知られていないことがある。こういったシステムでは、全ての基地局が端末からの伝送をいつおよびどのように受信するかを知ることができるわけではない。しかし、追加の無線リンク資源を費やすことなく性能を向上するために、こういったシステムにおいて逆方向リンクにおけるソフトハンドオフをサポートすることが望ましい。
【０００７】
従って、通信システムにおけるソフトハンドオフをサポートする技術がこの分野において必要とされている。
【発明の開示】
【発明の概要】
【０００８】
本明細書では、無線多元接続通信システムにおける逆方向リンクのソフトハンドオフをサポートする技術を説明する。この技術は、直交周波数分割多元接続（ＯＦＤＭＡ）システム、シングルキャリア周波数分割多元接続（ＳＣ−ＦＤＭＡ）システム、符号分割多元接続（ＣＤＭＡ）システム、時間分割多元接続（ＴＤＭＡ）システム、周波数分割多元接続（ＦＤＭＡ）システム、等に用いることができる。端末は、サービング基地局、及び逆方向リンクにおけるソフトハンドオフのため、少なくとも１つのソフトハンドオフ（ＳＨＯ）基地局と通信し、該ＳＨＯについては以下に定義する。
【０００９】
ある態様において、サービング基地局は、逆方向リンクにおける伝送に対して端末をスケジュールし、端末に対する割当てを形成し、端末に対するシグナリングを生成する。割当ては、逆方向リンクにおける伝送のために端末によって使用される少なくとも１つのパラメータ、例えば、端末に対する時間及び周波数の割り振り、端末によって使用される符号化及び変調、等を示す。シグナリングは、ＳＨＯ基地局が端末からの伝送を受信し処理できるようにする十分な情報を含む。シグナリングは、例えば割当てを含むことができる。サービング基地局は、割当てを端末に送信し、シグナリングをバックホールを介してＳＨＯ基地局に送信する。その後、サービング基地局は、逆方向リンクを介して端末から伝送を受信し、伝送を割り当てに従って処理する。
【００１０】
各ＳＨＯ基地局は、バックホールを介してシグナリングを受信し、逆方向リンクを介して端末から伝送を受信し、伝送をシグナリングに従って処理して、伝送において送信されたデータを回復する。この処理は、以下に説明するように、シグナリングが伝送の到達前に受信されるか後に受信されるか、ＳＨＯ基地局が受信した信号をバッファしているか、端末からの伝送がＨ−ＡＲＱの伝送であるかどうか、等に応じて、さまざまなやり方で行うことができる。
【００１１】
各基地局は、伝送に対して、それが正しく復号された場合に肯定応答（ＡＣＫ）を生成することができる。各基地局は、ＡＣＫを端末に送信することができ、さらにＡＣＫをバックホールを介して、端末のソフトハンドオフをサポートしている他の基地局にも送信することができる。
【００１２】
別の態様において、端末は、ＳＨＯ基地局が端末からの伝送を回復できるようにするシグナリングを送信する。以下に、本発明のさまざまな態様及び実施形態を更に詳しく説明する。
【００１３】
本発明の特徴および性質は、全体を通じて同じ参照番号が同じものとして識別される図面と併せて、以下に示す詳細な説明から明らかとなろう。
【詳細な説明】
【００１４】
「例示的」という用語は、本明細書において「例、事例、または実例としての役割を果たす」ことを意味するために使用されている。本明細書に記載されている何れの実施形態または設計も、必ずしも他の実施形態または設計よりも好ましいまたは好都合であると解釈されると限らない。
【００１５】
図１は、複数の基地局１１０と複数の端末１２０とを有する無線多元接続通信システム１００を示す。基地局は端末と通信するステーションであり、アクセスポイント、ノードＢ、及び／又は何か他のネットワークエンティティとも呼ばれ、その機能の一部又は全てを含むことができる。各基地局１１０は、特定の地理的区域１０２に通信サービス範囲を提供する。「セル」という用語は、該用語が使用される文脈に応じて、基地局及び／又はその通信サービス区域を指す。システム容量を向上するために、基地局のサービス区域を複数のより小さな区域、例えば３つのより小さな区域１０４ａ、１０４ｂ、及び１０４ｃに区分することができる。より小さな区域の各々は、それぞれの基地局トランシーバサブシステム（ＢＴＳ）によってサービスされている。「セクタ」という用語は、該用語が使用される文脈に応じて、ＢＴＳ及び／又はそのサービス区域を指すことができる。セクタ化されているセルでは、そのセルの全セクタのＢＴＳは、通常、該セルの基地局内に一緒に配置されている。
【００１６】
端末１２０は、通常、システム全体に分散しており、各端末は固定または移動型である。端末は、移動局、ユーザ装置、及び／又は何かの他の装置とも呼ばれ、その機能の一部又は全てを含むことができる。端末は、無線装置、セルラ電話、携帯情報端末（ＰＤＡ）、無線モデムカード、等であることもある。各端末は、任意の所与の瞬間に順方向及び／又は逆方向リンクにおいてゼロ、１つ、又は複数の基地局と通信することができる。図１に示された実施形態では、各端末１２０は、順方向リンクにおいて１つの基地局と、逆方向リンクにおいて１つ又は複数の基地局と通信することができる。
【００１７】
集中型アーキテクチャでは、システムコントローラ１３０が基地局１１０に連結し、これら基地局の調整及び制御を行っている。システムコントローラ１３０は、単一のネットワークエンティティ、又はネットワークエンティティの集合体とすることができる。例えば、システムコントローラ１３０は、基地局コントローラ（ＢＳＣ）、移動交換局（ＭＳＣ）、無線ネットワークコントローラ（ＲＮＣ）、及び／又は何かの他のネットワークエンティティが通常行う機能を遂行することができる。分散型アーキテクチャでは、基地局は、必要に応じ、システムコントローラ１３０を使わずに相互に通信することができる。
【００１８】
本明細書で説明する技術は、セクタ化されたセルを有するシステムにも、セクタ化されていないセルを有するシステムにも使用することができる。以下の説明において、「ソフトハンドオフ」という用語は、（１）一般に「ソフターハンドオフ」と呼ばれる、端末が同一セルの複数のセクタと同時に通信するプロセスと、（２）一般に「ソフトハンドオフ」と呼ばれる、端末が複数のセル、又は複数のセルの中のセクタと同時に通信するプロセスとを含む。以下の説明において、「基地局」という用語は、セルにサービスする基地局と、セクタにサービスするＢＴＳとに対して包括的に使用される。
【００１９】
ある実施形態では、ソフトハンドオフを容易化するため、複数の基地局又はそのセクタは、各端末と通信を開始する前にその端末に資源を割り振ることができる。このアプローチは、端末が基地局又はセクタと通信を開始する前に、その基地局又はセクタが該端末に関するいくつかのパラメータを有することによって、更に効率的なソフトハンドオフを可能にする。
【００２０】
図２は、逆方向リンクにおいて２つの基地局１１０ａ及び１１０ｂとソフトハンドオフをしている端末１２０ｘを示す。図２に示された例では、基地局１１０ａはサービング基地局であり、基地局１１０ｂはソフトハンドオフ（ＳＨＯ）基地局である。サービング基地局は、端末と通信している基地局であり、特定の実施形態では、端末１２０ｘとＳＨＯ基地局１１０ｂとの間で通信が開始される前から、端末１２０ｘと通信していた基地局でもある。幾つかの実施形態において、サービング基地局は、端末に無線リンク資源を割当てる、順方向及び逆方向リンクにおける伝送に対して端末をスケジュールする、等を行うことができる。他の実施形態では、別の基地局が、サービング基地局１１０ａと端末１２０ｘとの間の通信を管理することができる。ＳＨＯ基地局は、ソフトハンドオフで端末と通信する基地局である。サービング基地局及びＳＨＯ基地局は、何か他の用語で呼ぶこともできる。ＳＨＯ端末は、ソフトハンドオフを行う端末である。
【００２１】
一般に、ソフトハンドオフは、基地局又は端末から開始することができる。一部の実施形態において、サービング基地局及び／又は他の基地局（例えば、端末のアクティブセット中の基地局）は、（１）基地局が端末に対して行った（例えば、受信電力、受信信号品質、等に関する）測定、（２）端末から基地局に送信される情報（例えば、チャネル品質指標）、及び／又は（３）基地局で利用可能な他の情報（例えば、基地局で利用可能な処理資源）に基づいて、ソフトハンドオフを開始することができる。他の実施形態では、端末は、端末が行った測定、基地局から受信した情報、及び／又は端末で利用可能な他の情報に基づいて、ソフトハンドオフを要求又は開始することができる。
【００２２】
一般に、端末は任意の数の基地局と逆方向リンクにおいてソフトハンドオフを行うことができる。端末のソフトハンドオフをサポートしている基地局の全ては、１つのアクティブセットに含まれることができる。このアクティブセットは、サービング基地局、端末、及び／又は他の何らかのネットワークエンティティによって維持、及び／又は更新されることができる。アクティブセット中の基地局は、（図２に示されていないが）バックホールを介して直接的に、又は（図２に示されているように）バックホールとシステムコントローラ１３０とを介して間接的に、相互に通信することができる。簡明化のため、以下の説明の多くは、逆方向リンクにおけるソフトハンドオフのために端末１２０ｘが２つの基地局１１０ａ及び１１０ｂと通信している図２に示されたシナリオに関する。
【００２３】
システム１００において、アクティブセット中の基地局は、ＳＨＯ端末が逆方向リンクにおいていつ送信しているかを知らなくてもよい。例えば、各基地局１１０は、逆方向リンクにおける伝送に対してサービング基地局としてその基地局を有する端末をスケジュールすることができる。各基地局は、逆方向リンクにおける伝送に対してスケジュールされた各端末に対する割当てを、無線のメッセージを介して送信することができる。割り当ては、例えば、端末に割当てられた無線リンク資源（例えば、周波数、時間、及び／又は符号）、伝送に使用されるパケットフォーマット、及び可能性のある他の情報といった関連パラメータを含むことができる。パケットフォーマットは、例えば、伝送に使用されるデータレート、符号化及び変調、パケットサイズ、等を示すことができる。所与の端末に対してソフトハンドオフが望まれる場合、アクティブセット中のＳＨＯ基地局は、該端末が伝送に使う関連パラメータを確認することができ、その知識に基づいて伝送の復号を試みることができる。ＳＨＯ基地局は、さまざまなやり方で関連パラメータを確認することができる。
【００２４】
ある態様において、ＳＨＯ端末は、逆方向リンクにおいて送信された伝送を回復するための関連情報を含むシグナリングを無線で送信する。関連情報は、伝送のプリアンブルにおいて、伝送自体において、又は別の制御チャネル上で送信されるメッセージにおいて、等で送信することができる。該情報は、データ伝送と同じ多元接続方式（例えば、ＯＦＤＭＡ又はＳＣ−ＦＤＭＡ）、又は異なる多元接続方式（例えば、ＣＤＭＡ）を使用して送信することができる。こういったアプローチのいくつかの態様が、同時係属の米国特許出願第１１／１３２，７６５号（名称「Softer And Soft Handoff In An Orthogonal Frequency Division Wireless Communication System（直交周波数分割無線通信システムにおけるセクタ間及びセル間ソフトハンドオフ）」）に記載されており、前記出願は、参照することにより全体として本明細書に組み込まれる。いずれの場合においても、これらの情報は、ＳＨＯ基地局により高い信頼度で回復が可能なやり方で送信することができる。
【００２５】
ある実施形態において、関連情報は、ＳＨＯ端末別のスクランブル系列を使ってスクランブルされるプリアンブルにおいて運ばれる。例えば、各端末は、セッションに対するＭＡＣＩＤ又は何か他の固有の識別子を割当てられることができる。各々のＭＡＣＩＤは、異なるスクランブル系列に関連付けることができ、各端末は、そのＭＡＣＩＤに対するスクランブル系列を使用して、そのプリアンブルをスクランブルすることができる。ＳＨＯ基地局は、異なるＭＡＣＩＤに対して異なるスクランブル系列を用いて、受信したプリアンブルをデスクランブルし、そのプリアンブルを送信した端末を識別することができる。次に、ＳＨＯ基地局はデスクランブルされたプリアンブルから関連情報を得て、この情報を使用して、端末からの伝送を復調および復号することができる。
【００２６】
システム１００が、ＯＦＤＭＡ又はＳＣ−ＦＤＭＡシステムの場合に複数のサブバンドを有する場合、複数の端末は、所与のスケジューリング間隔においてサブバンドの異なるセットを割当てられることができる。サブバンドセットは、同じ又は異なる数のサブバンドを含むことができ、静的であっても、又は動的（例えば、スケジューリング間隔ごとに変わることができる）であってもよい。所与の端末は、異なるスケジューリング間隔において異なるサブバンドのセットを割当てられることができる。ＳＨＯ基地局は、いろいろなチャネル割当て仮説を評価して、端末から送信されたプリアンブルをサーチすることができる。スケジューリング間隔ごとに、ＳＨＯ基地局は、割当てられ得る可能なサブバンドセット（又はチャネル割当て）の各々を評価して、伝送がそのサブバンドセット上で送信されているかどうかを判断することができる。所与のサブバンドセットに対するプリアンブルが検知されたならば必ず、評価されるサブバンドのリストからそのサブバンドを取り除き、更新されたリスト中のサブバンドが評価されることができる。
【００２７】
別の態様において、サービング基地局は、端末に対するシグナリングをバックホールを介してアクティブセット中の全ＳＨＯ基地局に送信する。割当てを含むことができるシグナリングは、さまざまなやり方でバックホールを介して送信されることができる。
【００２８】
図３は、割当てが端末１２０ｘに無線で送信される前に、バックホールを介してＳＨＯ基地局１１０ｂに送信される、逆方向リンクにおけるソフトハンドオフの実施形態を示す。この実施形態において、サービング基地局１１０ａは、逆方向リンクにおける伝送に対して端末１２０ｘをスケジュールし、該端末に対する割当てを形成する。時間Ｔ１１において、サービング基地局１１０ａは、割当てをバックホールを介してＳＨＯ基地局１１０ｂに送信する。Ｔ１１の後のＴｄｅｌａｙを遅延させた時間Ｔ１２において、サービング基地局１１０ａは、割当てを端末１２０ｘに無線で送信する。遅延Ｔｄｅｌａｙは、ＳＨＯ基地局１１０ｂが、端末１２０ｘからの伝送が到達する前に、割当てを受信して、任意の必要な準備を行うことを可能にする。
【００２９】
端末１２０ｘは、サービング基地局１１０ａから割当てを受信し、スケジュールされた時間Ｔ１３において、逆方向リンクにおける伝送の送信を開始する。各基地局１１０は端末１２０ｘからの伝送を受信してバッファに入れる。時間Ｔ１４において、端末１２０ｘは、逆方向リンクにおける伝送を終了する。端末１２０ｘからの伝送は、単一のパケット又は複数のパケットで符号化されたデータを運ぶことができる。各パケットは、端末１２０ａにおいて別々に符号化され、各基地局１１０において別々に復号されるように意図されている。伝送が符号化されたデータを単一のパケットで運ぶ場合は、各基地局１１０は、図３に示すように、端末１２０ｘからの伝送全体を受信した後でパケットを復号することができる。伝送が符号化されたデータを複数のパケットで運ぶ場合は、各基地局１１０は、各々のパケットの全体を受信した後すぐにそのパケットを復号することができる（図３に示さず）。通常、符号化されたパケットは、信頼性を向上するための冗長を含むので、各基地局１１０は、パケットの一部だけを受信した後で、そのパケットの復号を試みることもできる。
【００３０】
いずれの場合も、時間Ｔ１５において、サービング基地局１１０ａは、端末１２０ｘからの伝送が正しく復号された場合には肯定応答（ＡＣＫ）を、間違って復号された場合には否定応答（ＮＡＫ）を送信する。時間Ｔ１６において、ＳＨＯ基地局１１０ｂは、基地局１１０ｂでの復号結果に基づいて、端末１２０ｘにＡＣＫ又はＮＡＫを送信する。一般に、ＳＨＯ基地局１１０ｂからの伝送は、サービング基地局１１０ａからの伝送よりも端末１２０ｘにより早く到達しても、又はより遅く到達してもよい。
【００３１】
一般に、サービング基地局及びＳＨＯ基地局は、ＡＣＫ及び／又はＮＡＫをさまざまなやり方で送信することができる。ある実施形態において、各基地局は、その復号結果に基づいてＡＣＫ及び／又はＮＡＫを端末に個別に送信する。ＡＣＫベースの方式では、ＡＣＫは明示的に送信され、ＮＡＫは暗黙的に送信され、ＡＣＫがないことによって送信されたと見なされる。ＮＡＫベースの方式では、ＮＡＫは明示的に送信され、ＡＣＫは暗黙的に送信され、ＮＡＫがないことによって送信されたと見なされる。サービング基地局及びＳＨＯ基地局は、同じ又は異なるＡＣＫ／ＮＡＫ方式を使用することができる。例えば、サービング基地局はＡＣＫ及びＮＡＫを明示的に送信し、一方、ＳＨＯ基地局は、ＡＣＫベースの方式を使用して、復号が不成功の場合に順方向リンクにかかる負荷を削減することができる。各基地局は、符号化されていないシグナリング（例えば、ＡＣＫには２値の「０」、ＮＡＫには「１」）あるいは符号化されたシグナリングのいずれかを使って、ＡＣＫ／ＮＡＫを端末に送信することができる。符号化されたシグナリングは信頼性を向上し、ＡＣＫ／ＮＡＫメッセージの復号誤り検出を容易にする。例えば、サービング基地局は、符号化されたシグナリングを使用してＡＣＫ／ＮＡＫを送信し、ＳＨＯ基地局は、符号化されていないシグナリングを使ってＡＣＫ／ＮＡＫを送信することができる。
【００３２】
ある実施形態において、アクティブセット中のサービング基地局及びＳＨＯ基地局は、端末に対するＡＣＫ及び／又はＮＡＫを交換する。例えば、各基地局はそのＡＣＫ及び／又はＮＡＫをシステムコントローラ１３０に送信し、該コントローラがＡＣＫ及び／又はＮＡＫを結合してその結果をアクティブセット中の全基地局に送信することができる。システムコントローラ１３０は、端末が送信した各パケットに対するＡＣＫ及びＮＡＫを結合することができる。例えば、アクティブセット中のいずれかの基地局がパケットを正しく復号し、システムコントローラ１３０にＡＣＫを送信した場合、システムコントローラ１３０はこのＡＣＫをアクティブセット中の他の全ての基地局に転送し、その後は、どの基地局もそのパケットの復号を試みないようにすることができる。各基地局が、前のパケットの復号をいつ終了し、および新しいパケットの復号をいつ開始するかが分かるので、アクティブセット中の基地局の間でのこのＡＣＫの共有は、誤り事象及び復号試行を削減することができる。
【００３３】
図３に示された実施形態では、ＳＨＯ基地局は、端末からの伝送が到達する前に割当てを受信することができる。通常、割当てが端末に送信される時間と、端末が伝送を開始する時間との間には「プレップ（ｐｒｅｐ）」遅延がある。バックホールの遅延がプレップ遅延より小さければＴｄｅｌａｙの遅延は必要ない。しかしながら、プレップ遅延がバックホール遅延より短ければ、ＳＨＯ基地局が前記割当てを適時に受信できることを確実にするため、スケジューリング遅延（端末がスケジュールされる時間と該端末が実際に送信する時間との差）をＴｄｅｌａｙ分増加することが必要ではないが、増加することができる。Ｔｄｅｌａｙのこの遅延を低減又は排除することが望ましい。
【００３４】
図４は、割当てが無線で端末１２０ｘに、さらにバックホールを介してＳＨＯ基地局１１０ｂにも同時に送信される、逆方向リンクにおけるソフトハンドオフの実施形態を示す。サービング基地局１１０ａは、端末１２０ｘの逆方向リンクにおける伝送をスケジュールし、該端末に対する割当てを形成する。時間Ｔ２１において、サービング基地局１１０ａは、該割当てを無線で端末１２０ｘに、さらにバックホールを介してＳＨＯ基地局１１０ｂにも送信する。
【００３５】
端末１２０ｘは、割当てを受信し、スケジュールされた時間Ｔ２２において逆方向リンクで伝送を送信する。サービング基地局１１０ａは、端末１２０ｘからの伝送を受信してバッファに入れる。図４に示された例では、バックホールの遅延のために、ＳＨＯ基地局１１０ｂは伝送の途中で割当てを受信する。割当てを受信すると、ＳＨＯ基地局１１０ｂは、端末１２０ｘからの残りの伝送を受信してバッファに入れる。時間Ｔ２３において、端末１２０ｘは逆方向リンクにおける伝送を終了する。ＳＨＯ基地局１１０ｂは、端末１２０ｘからの伝送の一部だけを受信し、割当てが到達する前に送信された部分は受信し損ずる。
【００３６】
サービング基地局１１０ａは、端末１２０ｘからの伝送全体に基づいて端末１２０ｘからの伝送を復号する。ＳＨＯ基地局１１０ｂは、端末１２０ｘから受信した一部の伝送を復号することができる。時間Ｔ２４において、サービング基地局１１０ａは、その復号結果に基づきＡＣＫ又はＮＡＫを端末１２０ｘに送信する。時間Ｔ２５において、ＳＨＯ基地局１１０ｂは、その復号結果に基づいてＡＣＫ又はＮＡＫを端末１２０ｘに送信することができる。図３について前述したように、サービング基地局及びＳＨＯ基地局は、ＡＣＫ及び／又はＮＡＫを端末に送信し、及び／又は、基地局自体の間でさまざまなやり方でＡＣＫ及び／又はＮＡＫを交換することができる。
【００３７】
図５は、ＳＨＯ基地局１１０ｂでバッファリングが行われる、逆方向リンクにおけるソフトハンドオフの実施形態を示す。サービング基地局１１０ａは、端末１２０ｘの逆方向リンクにおける伝送をスケジュールし、端末１２０ｘに対する割り当てを形成し、時間Ｔ３１において、該割当てを無線で端末１２０ｘに、さらにバックホールを介してＳＨＯ基地局１１０ｂにも送信する。端末１２０ｘは、割当てを受信し、スケジュールされた時間Ｔ３２に逆方向リンクにおいて伝送を送信する。サービング基地局１１０ａは、端末１２０ｘからの伝送を受信してバッファに入れる。時間Ｔ３３において、端末１２０ｘは逆方向リンクにおける伝送を終了する。サービング基地局１１０ａは、例えば端末１２０ｘからの伝送全体を受信すると、端末１２０ｘからの伝送を復号する。時間Ｔ３４において、サービング基地局１１０ａは、その復号結果に基づいてＡＣＫ又はＮＡＫを端末１２０ｘに送信する。
【００３８】
図５に示された例では、ＳＨＯ基地局１１０ｂは、バックホール遅延のために、端末１２０ｘが全伝送を送った後に割当てを受信する。しかしながら、ＳＨＯ基地局１１０ｂは、ＳＨＯ端末に対する割当ての到達が遅れる可能性を予期して、受信した信号をバッファに入れる。端末１２０ｘに対する割当てを受信すると、ＳＨＯ基地局１１０ｂは、バッファに入れられた端末１２０ｘの伝送を検索して復号する。時間Ｔ３５において、ＳＨＯ基地局１１０ｂは、その復号結果に基づいてＡＣＫ又はＮＡＫを端末１２０ｘに送信することができる。図３について前述したように、サービング基地局及びＳＨＯ基地局は、ＡＣＫ及び／又はＮＡＫを端末に送信し、及び／又は、基地局自体の間でさまざまなやり方でＡＣＫ及び／又はＮＡＫを交換することができる。
【００３９】
ＳＨＯ基地局１１０ｂは、割当てに対して予期される最大のバックホール遅延に対応する時間長の間、受信した信号をバッファに入れることができる。システムの伝送時系列は、タイムスロット（又はフレーム）に区分されることができ、各スロットを所定の時間長とする。端末からの伝送はタイムスロットで送信することができる。この場合、ＳＨＯ基地局１１０ｂは、受信した信号をＬタイムスロットの間バッファに入れることができ、バッファに入れられるタイムスロットの数（Ｌ）は、ソフトハンドオフに参加している基地局全てに対して予期される最長のバックホール遅延よりも長い。
【００４０】
ＳＨＯ基地局１１０ｂでバッファに入れられる信号は、全端末から基地局１１０ｂに送信する伝送を含む。したがって、端末からの伝送を別々にバッファに入れる必要はないので、ＳＨＯ基地局１１０ｂのバッファリングの必要量が過大になることはない。どの端末に対しても、バッファに入れられた信号は、該端末の割当てを受信し次第、復調し復号することができる。
【００４１】
本明細書で説明するソフトハンドオフ技術を、冗長度漸次付加（ｉｎｃｒｅｍｅｎｔａｌ  ｒｅｄｕｎｄａｎｃｙ：ＩＲ）送信とも呼ばれるハイブリッド自動再送要求（Ｈ−ＡＲＱ）送信に用いることができる。Ｈ−ＡＲＱにおいては、パケットを、該パケットが正しく復号されるか、あるいは該パケットに対して最大数のブロックが送信されるまで、１つ以上のブロックで送信することができる。Ｈ−ＡＲＱは、データ伝送の信頼性を向上し、チャネル状態に変化が生じたときパケットに対するレート適応をサポートする。
【００４２】
図６は、ソフトハンドオフを用いた逆方向リンクのＨ−ＡＲＱの伝送を示す。端末は、あるパケット（パケット１）を処理し（例えば、符号化及び変調し）、複数（Ｑ個）のデータブロックを生成する。データブロックを、フレーム、サブパケット、又は他の用語で呼ぶこともできる。各データブロックは、良好なチャネル状態であれば基地局がパケットを正しく復号できる十分な情報を含むことができる。Ｑ個のデータブロックは、パケットに対する異なる冗長情報を含む。図６に示された例では、各データブロックは１つのタイムスロットで送信される。
【００４３】
端末は、タイムスロット１においてパケット１に対する第１のデータブロック（ブロック１）を送信する。該端末とソフトハンドオフ又はアクティブな通信中の各基地局は、ブロック１を復調し復号して、パケットが誤って復号されていると判断し、タイムスロット２において端末にＮＡＫを送信する。端末は基地局からＮＡＫを受信し、タイムスロット３においてパケット１に対する第２のデータブロック（ブロック２）を送信する。各基地局は、ブロック２を受信し、ブロック１及び２を復調し復号して、パケット１がまだ誤って復号がされていると判断し、タイムスロット４においてＮＡＫを送信する。このブロックの送信とＮＡＫの応答とを任意の回数続けることができる。図６に示された例では、端末は、タイムスロットｍにおいて、パケット１に対するデータブロックｑ（ブロックｑ）を送信しており、ｑ≦Ｑである。サービング基地局は、ブロックｑを受信し、パケット１に対するブロック１からｑまでを復調し復号して、パケットが正しく復号されていると判断し、タイムスロットｍ＋１においてＡＣＫを送信する。端末はサービング基地局からＡＣＫを受信し、パケット１の送信を終了する。端末は次のパケット（パケット２）処理し、同様なやり方で、パケット２に対するデータブロックを送信する。
【００４４】
図６では、各ブロックの送信に対するＡＣＫ／ＮＡＫ応答には１つのタイムスロットの遅延がある。チャネルの利用を向上するために、端末は、インターレース方式で複数のパケットを送信することができる。例えば、端末は、１つのパケットを奇数番号のタイムスロットで、別のパケットを偶数番号のタイムスロットで送信することができる。さらに長いＡＣＫ／ＮＡＫ遅延に対しては、２より多いパケットをインターレースにすることもできる。
【００４５】
簡明化のため、図６では、基地局がＡＣＫ及びＮＡＫを端末に送信しているのが示されている。前述したように、基地局は、端末に、および基地局自体の間で、さまざまなやり方でＡＣＫ及び／又はＮＡＫを送信することができる。
【００４６】
図７は、Ｈ−ＡＲＱの伝送に対する逆方向リンクにおけるソフトハンドオフの実施形態を示す。サービング基地局１１０ａは、端末１２０ｘの逆方向リンクにおける伝送をスケジュールし、端末１２０ｘに対する割当てを形成して、時間Ｔ４１において、該割当てを無線で端末１２０ｘに、さらにバックホールを介してＳＨＯ基地局１１０ｂにも送信する。端末１２０ｘは、割当てを受信し、パケットを処理して複数（Ｑ個）のデータブロックを生成し、時間Ｔ４２から始まるスケジュールされたタイムスロットにおいて、逆方向リンクにおいて第１のデータブロックを送信する。サービング基地局１１０ａは、第１のデータブロックを受信し復号して、パケットが誤って復号されると判断し、時間Ｔ４３において端末１２０ｘにＮＡＫを送信する。図６について上述で説明したように、端末１２０ｘによるデータブロック送信とサービング基地局１１０ａによる復号とは任意の回数繰り返すことができる。
【００４７】
図７に示された例では、ＳＨＯ基地局１１０ｂは、バックホール遅延のために、時間Ｔ４４において割当てを受信する。時間Ｔ４４は、端末１２０ｘによる第１のデータブロックの伝送の後であり、第Ｎのデータブロックの伝送の前であって、なお、１＜Ｎ≦Ｑである。端末１２０ｘに対する割当てを受信すると、ＳＨＯ基地局１１０ｂは、該割当てに基づいて、端末１２０ｘによって送信された後続のデータブロックを受信し復号する。
【００４８】
端末１２０ｘは、時間Ｔ４５から始まるタイムスロットにおいて、Ｎ番目のデータブロックを逆方向リンクにおいて送信する。サービング基地局１１０ａは、該Ｎ番目のデータブロックを受信し、第１から第Ｎのデータブロックを復号し、その復号結果に基づいて、時間Ｔ４６において端末１２０ｘに対してＡＣＫ又はＮＡＫを送信する。ＳＨＯ基地局１１０ｂは、Ｎ番目のデータブロックを受信し復号して、その復号結果に基づいて、時間Ｔ４７において端末１２０ｘに対してＡＣＫ又はＮＡＫを送信する。図３について上述で説明したように、サービング基地局及びＳＨＯ基地局は、ＡＣＫ及び／又はＮＡＫを端末に送信し、及び／又は、ＡＣＫ及び／又はＮＡＫを基地局自体の間でさまざまなやり方で交換することができる。
【００４９】
一般に、ＳＨＯ基地局１１０ｂは、端末に対する割当てを受信すると、端末１２０ｘからの伝送の復号を開始することができる。バックホール遅延が短く、（例えば図４に示されるように）端末１２０ｘが第１のデータブロックの送信を完了する前に、割当てが受信される場合には、ＳＨＯ基地局１１０ｂは、該端末からの第１のデータブロックの復号を試みることができる。（例えば図７に示されるように）バックホール遅延が長く、第１のデータブロックが送信された後に割当てが受信される場合には、ＳＨＯ基地局１１０ｂは、端末１２０ｘから送信されたそれ以降のデータブロックを復号することができる。割当てが到達する前に送信されたデータブロックがバッファに入れられていなければ、ＳＨＯ基地局１１０ｂはそれらのデータブロックの恩恵を得られないことになろう。しかし、パケット送信が割当ての到達の前に終了していない場合は、ソフトハンドオフによる利益がなお有益である。
【００５０】
図８は、ＳＨＯ基地局１１０ｂにおけるバッファリングを用いるＨ−ＡＲＱの伝送に対する逆方向リンクにおけるソフトハンドオフの実施形態を示す。サービング基地局１１０ａは、逆方向リンクにおける伝送に対して端末１２０ｘをスケジュールし、端末１２０ｘに対する割当てを形成して、時間Ｔ５１において、該割当てを無線で端末１２０ｘに、さらにバックホールを介してＳＨＯ基地局１１０ｂにも送信する。端末１２０ｘは、割当てを受信し、パケットを処理して複数（Ｑ個）のデータブロックを生成し、時間Ｔ５２から始まるスケジュールされたタイムスロットにおいて、第１のデータブロックを逆方向リンクにおいて送信する。サービング基地局１１０ａは、第１のデータブロックを受信し復号して、パケットが誤って復号されていると判断し、時間Ｔ５３において端末１２０ｘにＮＡＫを送信する。図６について上述で説明したように、端末１２０ｘによるデータブロック送信とサービング基地局１１０ａによる復号とは任意の回数繰り返すことができる。
【００５１】
図８に示された例では、ＳＨＯ基地局１１０ｂは、バックホール遅延のために、端末１２０ｘがＮ番目のデータブロックの送信した後、時間Ｔ５６において割当てを受信し、なお、一般には１≦Ｎ≦Ｑである。しかしながら、ＳＨＯ基地局１１０ｂは、ＳＨＯ端末に対する割当ての到達が遅れる可能性を予期して、受信した信号をバッファに入れる。ＳＨＯ基地局１１０ｂは、端末１２０ｘに対する割当てを受信すると、該割当てに基づいて、バッファに入れられた端末１２０ｘの伝送を検索して復号する。ＳＨＯ基地局１１０ｂは、端末１２０ｘに対する復号をさまざまなやり方で行うことができる。
【００５２】
図９Ａは、ＳＨＯ基地局１１０ｂがバッファに入れられたデータに基づいて復号を行う実施形態を示す。ＳＨＯ基地局１１０ｂによって受信された端末１２０ｘに対する割当ては、端末１２０ｘによって送信されたパケットの開始を示すことができる。この場合、ＳＨＯ基地局１１０ｂは、割当てに基づいてパケットの第１のデータブロックを確かめることができる。しかしながら、ＳＨＯ基地局１１０ｂは、パケットが終了しているかどうか、またはいつ終了したのかを知ることはできない。したがって、ＳＨＯ基地局１１０ｂは、複数の仮説に対して復号を行い、端末１２０ｘによって送信されたパケットを回復することを試みる。第１の復号仮説として、ＳＨＯ基地局１１０ｂは、パケットに対して１つのみのデータブロックが送信されたと仮定して、端末１２０ｘが送信した第１のデータブロックを復号する。これは、例えば図８及び９Ａに示されたデータブロック１である。パケットが正しく復号された場合は、ＳＨＯ基地局１１０ｂは該パケットの復号を終了し、該パケットに対するＡＣＫを生成する。そうではなく、パケットが誤って復号された場合は、第２の復号仮説として、ＳＨＯ基地局１１０ｂは、２つのデータブロックが端末１２０ｘによって送信されたと仮定し、端末１２０ｘによって送信されたデータブロック１及び２を復号することができる。パケットが正しく復号されるか、全てのバッファに入れられたデータブロックが復号に使用されるか、または最大数（Ｑ個）のデータブロックが復号に使用されるまで、この復号を続けることができる。全てのバッファに入れられたデータブロックが復号に使用され、それでもパケットが誤って復号がされるが、端末１２０ｘによって最大数のデータブロックがまだ送信されていない場合には、ＳＨＯ基地局１１０ｂは、端末１２０ｘからの次のブロックの送信を待つ。
【００５３】
図８に戻って参照すると、サービング基地局１１０ａは、Ｎ番目のデータブロックを処理した後、時間Ｔ５７において、その復号結果に基づき、端末１２０ｘにＡＣＫ又はＮＡＫを送信することができる。時間Ｔ５８において、ＳＨＯ基地局１１０ｂは、その復号結果に基づいて、端末１２０ｘにＡＣＫ又はＮＡＫを送信することができる。図３について既に説明したように、さまざまなやり方で、サービング基地局及びＳＨＯ基地局は、ＡＣＫ及び／又はＮＡＫを端末に送信し、及び／又は、基地局自身の間でＡＣＫ及び／又はＮＡＫを交換することができる。アクティブセット中の基地局間のＡＣＫの交換は、ＳＨＯ基地局１１０ｂにおけるバッファリングを用いたＨ−ＡＲＱの伝送では特に望ましい。交換されたＡＣＫは、誤り事象とＳＨＯ基地局１１０ｂによる復号試行の回数を低減する。
【００５４】
ＳＨＯ基地局１１０ｂは、端末１２０ｘから受信された全てのデータブロックに基づいて、端末１２０ｘによって送信される各後続のデータブロックを受信し復号することができる。
【００５５】
図９Ｂは、割当てを得た後に端末１２０ｘから受信した各後続のデータブロックに対してＳＨＯ基地局１１０ｂによって復号を行う実施形態を示す。正しく復号されなかったパケットに対して新しいデータブロックが受信されたときは必ず、ＳＨＯ基地局１１０ｂは、該パケットに対して受信された全てのデータブロックに基づいて復号を行うことができる。ＳＨＯ基地局１１０ｂは、パケットが正しく復号された場合はＡＣＫを生成し送信することができ、さもなければＮＡＫを生成し送信することができる。
【００５６】
図１０Ａは、無線シグナリングを用いた逆方向リンクにおけるソフトハンドオフのために端末によって行われるプロセス１０００の実施形態を示す。この実施形態では、端末は、その時間−周波数割り振りにおいてデータとともにシグナリングを送信する。シグナリングは、ＳＨＯ基地局によって、端末からのデータ伝送を回復するのに使用されることができる。
【００５７】
端末は、サービング基地局から、逆方向リンクにおける伝送に使用されるサブバンドのセットと少なくとも１つの通信パラメータ（例えば、パケットフォーマット）とを示す割当てを受信する（ブロック１０１２）。端末は、該通信パラメータに従って入力データを処理（例えば、符号化及びシンボルマップ）して、出力データを生成する（ブロック１０１４）。端末は、割当てられたサブバンドのセットにおいて送信される出力データと通信パラメータとを有する伝送を生成する（ブロック１０１６）。例えば、端末は、該端末用のスクランブル系列を用いて通信パラメータをスクランブルし、スクランブルされたパラメータを用いてプリアンブルを形成し、該プリアンブル及び出力データを有する伝送を生成する。次いで、端末は、サービング基地局及びＳＨＯ基地局に逆方向リンクを介して伝送を送信する（ブロック１０１８）。このシグナリングは、端末によって送信された伝送を回復するために使用されるプリアンブル及び／又は他の情報を含むことができる。
【００５８】
図１０Ｂは、端末に適し、無線シグナリングを用いて逆方向リンクにおけるソフトハンドオフをサポートしている装置１１００の実施形態を示す。装置１１００は、逆方向リンクにおける伝送に対する割当てをサービング基地局から受信する手段（ブロック１０５２）と、該割当て中の通信パラメータに従って入力データを処理（例えば、符号化及びシンボルマップ）して、出力データを生成する手段（ブロック１０５４）と、割当てられたサブバンドのセットにおいて送信される出力データと通信パラメータとを有する伝送を生成する手段（ブロック１０５６）と、サービング基地局及びＳＨＯ基地局に逆方向リンクを介して伝送を送信する手段（ブロック１０５８）とを含む。これらの要素に対する手段の各々は、ハードウエア、ファームウエア、ソフトウエア、又はこれの組み合わせを用いて実施することができる。
【００５９】
図１１Ａは、無線シグナリングを用いた逆方向リンクにおけるソフトハンドオフのためのＳＨＯ基地局によって行われるプロセス１１００の実施形態を示す。この実施形態は、図１０Ａに示されるような、端末が、時間−周波数割り振りにおいてデータとともにシグナリングを送信する場合に関する。ＳＨＯ基地局は、異なるチャネル割当て仮説に対して、逆方向リンクを介して受信された信号を処理して、ソフトハンドオフを行う端末からの伝送を識別する（ブロック１１１２）。各チャネル割当て仮説は、端末に対する無線リンク資源の可能性のある割当て（例えば、可能性のある時間及び周波数割り振り）に対応することができる。各チャネル割当て仮説に対して、ＳＨＯ基地局は、異なるスクランブル系列を用いてデスクランブリングを行い、該端末からの伝送を識別することができる。端末からの伝送を識別した後、ＳＨＯ基地局は、正しいチャネル割当て仮説によって示されたサブバンドのセットにおいて伝送を受信する（ブロック１１１４）。次に、ＳＨＯ基地局は伝送を処理し、伝送においてデータを送信するために端末によって使用された少なくとも１つの通信パラメータを得る（ブロック１１１６）。次に、ＳＨＯ基地局は少なくとも１つの通信パラメータに従って伝送を復号し、伝送において送られたデータを回復する（ブロック１１１８）。
【００６０】
図１１Ａは、ＳＨＯ基地局が端末に対するチャネル割当てを知らないために、端末により送信されるシグナリングの検出が複数の段階を経て行われる実施形態を示す。別の実施形態において、端末は、ＳＨＯ基地局によって事前に知られているＣＤＭＡチャネル又は何か他のチャネルを介してシグナリングを送信する。シグナリングは、端末によって使用されるチャネル割当て（時間−周波数割り振り）及びパケットフォーマットを示すことができる。
【００６１】
図１１Ｂは、ＳＨＯ基地局に適し、無線シグナリングを用いた逆方向リンクにおけるソフトハンドオフをサポートしている装置１１５０の実施形態を示す。装置１１５０は、異なるチャネル割当て仮説に対して、逆方向リンクを介して受信された信号を処理して、ソフトハンドオフを行う端末からの伝送を識別する手段（ブロック１１５２）と、正しいチャネル割当て仮説によって示されたサブバンドのセットにおいて伝送を受信する手段（ブロック１１５４）と、伝送を処理して、伝送においてデータを送信するために端末によって使用された少なくとも１つの通信パラメータを得る手段（ブロック１１５６）と、通信パラメータにしたがって伝送を復号し、伝送において送信されたデータを回復する手段（１１５８）とを含む。これらの要素に対する手段の各々は、ハードウエア、ファームウエア、ソフトウエア、又はこれの組み合わせを用いて実装することができる。
【００６２】
図１２Ａは、バックホールのシグナリングを用いて逆方向リンクにおけるソフトハンドオフに対してサービング基地局によって行われるプロセス１２００の実施形態を示す。サービング基地局は、逆方向リンクにおいてソフトハンドオフを行う端末を識別し（ブロック１２１２）、逆方向リンクにおける伝送に対して端末をスケジュールし（ブロック１２１４）、端末に対する割当てを形成し（同じく、ブロック１２１４）、端末に対するシグナリングを生成する（ブロック１２１６）。割当ては、逆方向リンクにおける伝送のために端末によって使用される通信パラメータ、例えば、端末に対する時間及び周波数の割り振り、端末によって使用される符号化及び変調、等を示す。シグナリングは、ＳＨＯ基地局が端末からの伝送を受信し処理することを可能にする十分な情報を含む。シグナリングは、例えば、割当てを含むことができる。サービング基地局は、端末に対する少なくとも１つのＳＨＯ基地局にバックホールを介してシグナリングを送信する（ブロック１２１８）。
【００６３】
その後で、サービング基地局は逆方向リンクを介して端末から伝送を受信し（ブロック１２２２）、割当てに従って伝送を復号する（ブロック１２２４）。伝送が正しく復号される場合（ブロック１２２６において判断される）、サービング基地局は、伝送に対するＡＣＫを生成し（ブロック１２２８）、ＡＣＫを無線で端末に送信し（ブロック１２３０）、ＳＨＯ基地局にバックホールを介してＡＣＫを送信する（ブロック１２３２）ことができる。図１２Ａには示されていないが、Ｈ−ＡＲＱの伝送においては、現在の伝送を用いてパケットが誤って復号される場合、該パケットに対する最大数の伝送が送信されていないならば、サービング基地局はブロック１２２６からブロック１２２２に移行し、次の伝送を受信し処理することができる。別のＳＨＯ基地局からＡＣＫが受信された場合、サービング基地局は、それ以上のＨ−ＡＲＱの伝送を停止するように端末にシグナリングを送信する。
【００６４】
図１２Ｂは、サービング基地局に適し、バックホールのシグナリングを用いて逆方向リンクにおけるソフトハンドオフをサポートする装置１２５０の実施形態を示す。装置１２５０は、逆方向リンクにおいてソフトハンドオフを行う端末を識別する手段（ブロック１２５２）と、逆方向リンクにおける伝送のために端末をスケジュールし、端末に対する割当てを形成する手段（ブロック１２５４）と、端末に対するシグナリングを生成する手段（ブロック１２５６）と、端末に対する少なくとも１つのＳＨＯ基地局にバックホールを介してシグナリングを送信する手段（ブロック１２５８）と、端末から逆方向リンクを介して伝送を受信する手段（ブロック１２６２）と、割当てに従って伝送を復号する手段（ブロック１２６４）と、正しく復号された場合、伝送に対するＡＣＫを生成する手段（ブロック１２６８）と、ＡＣＫが生成された場合、ＡＣＫを無線で端末に送信する手段（ブロック１２７０）と、ＡＣＫが生成された場合、ＳＨＯ基地局にバックホールを介してＡＣＫを送信する手段（ブロック１２７２）とを含む。これらの要素に対する手段の各々は、ハードウエア、ファームウエア、ソフトウエア、又はこれの組み合わせを用いて実装することができる。
【００６５】
図１３Ａは、バックホールのシグナリングを用いて逆方向リンクにおけるソフトハンドオフのためにＳＨＯ基地局によって行われるプロセス１３００の実施形態を示す。ＳＨＯ基地局は、逆方向リンクにおいてソフトハンドオフを行う端末に対するシグナリングをバックホールを介して受信する（ブロック１３１２）。ＳＨＯ基地局は、端末から逆方向リンクを介して伝送を受信する、及び／又は、逆方向リンクを介して受信した信号を格納する（ブロック１３１４）。ＳＨＯ基地局は、シグナリングに従って伝送を復号し、伝送において送られたデータを回復する（ブロック１３１６）。復号は、（１）シグナリングが、端末からの伝送よりも前に受信されたのか後に受信されたのか、（２）ＳＨＯ基地局が受信した信号がバッファに入れられているかどうか、（３）端末からの伝送がＨ−ＡＲＱの伝送かどうか、および（４）他の可能性ある要因に応じたさまざまなやり方で行うことができる。
【００６６】
例えば図３に示されるように、端末からの伝送よりも前に、シグナリングが受信される場合は、受信信号をバッファリングする必要なく、端末からの伝送は、受信され次第処理することができる。例えば図４に示されるように、伝送が開始された後で、シグナリングが受信される場合は、伝送の一部を受信し処理することができる。あるいは、例えば図５に示されるように、受信信号はバッファに入れられ、シグナリングを受信し次第、端末からの伝送を処理することができる。
【００６７】
端末からの伝送がＨ−ＡＲＱの伝送の場合は、受信された伝送のデータブロックを処理し、該伝送において送られたデータを回復することができる。例えば図７に示されるように、少なくとも１つのデータブロックが送信された後にシグナリングが受信される場合には、後続のデータブロックは、受信され次第処理され、伝送において送信されたデータを回復することができる。あるいは、例えば図８及び９Ａに示されるように、受信した信号をバッファし、シグナリングを受信したときに、異なる復号仮説を試みてもよい。各復号仮説は、伝送において送信されたデータブロックの異なる仮定に対応する。例えば、第１の復号仮説は、伝送において送信された単一のデータブロックに対応し、各後続の復号仮説は、伝送において送信された追加のデータブロックに対応することができる。
【００６８】
いずれの場合でも、ブロック１３２０において判断されるように、伝送が正しく復号される場合は、ＳＨＯ基地局は、伝送に対するＡＣＫを生成し（ブロック１３２２）、ＡＣＫを無線で端末に送信し（ブロック１３２４）、端末のソフトハンドオフをサポートしている他の基地局にバックホールを介してＡＣＫを送信する（ブロック１３２６）ことができる。ブロック１３３０において判断されるように、伝送に対するＡＣＫがバックホールを介して受信された場合、ＳＨＯ基地局は伝送の処理を終了する（ブロック１３３２）。図１３Ａには示されていないが、Ｈ−ＡＲＱの伝送においては、現在の伝送に関してパケットが誤って復号される場合、およびパケットに対する最大数の伝送が送信されていない場合、ＳＨＯ基地局は、ブロック１３３０からブロック１３１４に移行し、次の伝送を受信し処理することができる。
【００６９】
図１３Ｂは、ＳＨＯ基地局に適し、バックホールのシグナリングを用いて逆方向リンクにおけるソフトハンドオフをサポートする装置１３５０の実施形態を示す。装置１３５０は、逆方向リンクにおいてソフトハンドオフを行う端末に対するシグナリングをバックホールを介して受信する手段（ブロック１３５２）と、逆方向リンクを介して端末からの伝送を受信する、及び／又は、逆方向リンクを介して受信した信号のデータを格納する手段（ブロック１３５４）と、シグナリングに従って伝送を復号し、伝送において送信されたデータを回復する手段（ブロック１３５６）と、伝送が正しく復号された場合、伝送に対するＡＣＫを生成する手段（ブロック１３６２）と、ＡＣＫが生成された場合、ＡＣＫを無線で端末に送信する手段（ブロック１３６４）と、ＡＣＫが生成された場合、端末のソフトハンドオフをサポートしている基地局にバックホールを介してＡＣＫを送信する手段（ブロック１３６６）とを含む。これらの要素に対する手段の各々は、ハードウエア、ファームウエア、ソフトウエア、又はこれの組み合わせを用いて実装することができる。
【００７０】
図１４は、システム１００中の基地局１１０ａ及び１１０ｂと端末１２０ｘとの実施形態を示す。端末１２０ｘにおいて、送信（ＴＸ）データプロセッサ１４１４は、データソース１４１２から、逆方向リンクにおいて送信されたトラヒックデータを受信し、１つ以上の符号化及び変調方式に基づいて該トラヒックデータを処理し（例えば、符号化、インターリーブ、及びシンボルマップ）、データシンボルを生成し、該データシンボルはトラヒックデータに対する変調シンボルである。符号化及び変調は、サービング基地局１１０ａから受信した割当てに基づいて行うことができる。変調器（Ｍｏｄ）１４１６は、データシンボルを、パイロットに対する変調シンボルであるパイロットシンボルと多重化する。この多重化は、サービング基地局１１０ａからの割当てに従って行うことができる。変調器１４１６は、多重化されたデータ及びパイロットシンボルに対して（例えば、以下に説明するように、ＯＦＤＭ又はＳＣ−ＦＤＭＡにおける）変調を行い、送信機（ＴＭＴＲ）１４１８に送信シンボルを供給する。送信機１４１８は、送信シンボルを処理し（例えば、アナログへの変換、増幅、フィルタリング、及びアップコンバート）、逆方向リンクの変調された信号を生成し、これがアンテナ１４２０から送信される。
【００７１】
各基地局１１０において、アンテナ１４５２は、端末１２０ｘ及び他の端末からの逆方向リンクの変調された信号を受信し、受信した信号を受信機（ＲＣＶＲ）１４５４に供給する。受信機１４５４は受信した信号を処理し（例、増幅、フィルタリング、ダウンコンバート、及びデジタル化）、該受信サンプルを復調器（Ｄｅｍｏｄ）１４５６に供給する。復調器１４５６は、受信したサンプルに対して（例えば、ＯＦＤＭ又はＳＣ−ＦＤＭＡにおける）復調を行い、端末１２０ｘ及び逆方向リンク上の他の端末に対する受信シンボルを供給する。受信（ＲＸ）データプロセッサ１４５８は、各端末からの受信シンボルを処理し（例えば、シンボルデマップ、デインターリーブ、及び復号）、復号されたデータをデータシンク１４６０に供給する。一般に、各基地局１１０における処理は、端末１２０ｘにおける処理と相補的である。
【００７２】
各基地局１１０においては、データソース１４８０からのトラッヒクデータとコントローラ／プロセッサ１４７０からのシグナリング（例えば、割当て、ＡＣＫ及び／又はＮＡＫ）とが、ＴＸデータプロセッサ１４８２により処理され、変調器１４８４により変調され、送信機１４８６により調整されて、順方向リンクの変調された信号が生成され、これがアンテナ１４５２を介して送信される。端末１２０ｘにおいては、基地局１１０ａ及び１１０ｂからの順方向リンクの変調された信号がアンテナ１４２０を介して受信され、受信機１４４０によって調整され、復調器１４４２によって復調され、ＲＸデータプロセッサ１４４４によって処理されて、端末１２０ｘに送信されたトラヒックデータとシグナリングとが回復される。
【００７３】
コントローラ／プロセッサ１４３０、１４７０ａ、及び１４７０ｂは、それぞれ、端末１２０ｘと基地局１１０ａ及び１１０ｂとにおけるさまざまな処理ユニットの動作を制御する。メモリユニット１４３２、１４７２ａ、及び１４７２ｂは、それぞれ端末１２０ｘと基地局１１０ａ及び１１０ｂとによって使用されるデータ及びプログラムコードを格納する。バックホールインタフェース１４７４ａ及び１４７４ｂは、それぞれ基地局１１０ａ及び１１０ｂが、バックホールを介してシステムコントローラ１３０及び／又は他のネットワークエンティティと通信できるようにする。
【００７４】
逆方向リンクのソフトハンドオフに対し、サービング基地局１１０ａは逆方向リンクにおける伝送に対して端末１２０ｘをスケジュールし、端末１２０ｘに対する割当てを生成して、該割当てを無線で端末１２０ｘに、バックホールを介してＳＨＯ基地局に送信することができる。サービング基地局１１０ａは、端末１２０ｘからの伝送が逆方向リンクを介して受信されると、それを処理することができる。ＳＨＯ基地局１１０ｂは、サービング基地局１１０ａから割当てを受信するまで、受信した信号をメモリ１４７２ｂに格納することができる。端末１２０ｘに対する割当てを受信すると、基地局１１０ｂは、受信及び／又は格納されたデータに基づいて、端末１２０ｘからの伝送を処理することができる。
【００７５】
簡明化のため、図１４は、端末１２０ｘ、基地局１１０ａ、及び１１０ｂの各々が単一のアンテナを備えていると示している。各エンティティ（ｅｎｔｉｔｙ）は、送信及び／又は受信に使用することができる複数のアンテナを備えることもできる。送信エンティティは、複数のアンテナから送信する前に送信機の空間処理を行うことができる。受信エンティティは、複数のアンテナ介して受信した伝送に対して受信機の空間処理を行うことができる。技術的に知られているように、空間処理はさまざまなやり方で行うことができる。
【００７６】
本明細書で説明した技術は、ＯＦＤＭＡシステム、ＳＣ−ＦＤＭＡシステム、周波数分割多元接続（ＦＤＭＡ）システム、符号分割多元接続（ＣＤＭＡ）システム、時間分割多元接続（ＴＤＭＡ）システム、等のさまざまな無線通信システムに用いることができる。ＯＦＤＭＡシステムは、直交周波数分割多重化（ＯＦＤＭ）を利用し、これは、全システム帯域を複数（Ｋ個）の直交サブバンドに区分するマルチキャリヤ変調技術である。これらサブバンドは、トーン、副搬送波、ビン、等とも呼ばれる。ＯＦＤＭについては、各サブバンドは、データで変調できるそれぞれの副搬送波と関連付けられている。ＳＣ−ＦＤＭＡシステムは、インターリーブされた（ｉｎｔｅｒｌｅａｖｅｄ）ＦＤＭＡ（ＩＦＤＭＡ）を用いて、システム帯域幅全体に亘って分散したサブバンドにおいて送信するか、局在化（ｌｏｃａｌｉｚｅｄ）ＦＤＭＡ（ＬＦＤＭＡ）を用いて、隣接するサブバンドの１つのグループにおいて送信するか、又は拡張（ｅｎｈａｎｃｅｄ）ＦＤＭＡ（ＥＦＤＭＡ）を用いて、隣接するサブバンドの複数のグループにおいて送信することができる。一般に、変調シンボルは、ＯＦＤＭでは周波数領域で、ＳＣ−ＦＤＭＡでは時間領域で送信される。
【００７７】
ＯＦＤＭシンボルは以下のように生成することができる。Ｎ個の変調シンボルが、送信に使われるＮ個のサブバンド（又はＮ個の割当てられたサブバンド）にマップされ、ゼロの信号値を有するゼロシンボルが残りのＫ−Ｎ個のサブバンドにマップされる。Ｋポイントの逆高速フーリエ変換（ＩＦＦＴ）、又は逆離散フーリエ変換（ＩＤＦＴ）が、Ｋ個の変調シンボル及びゼロシンボルに対して行われ、Ｋ個の時間領域サンプルのシーケンスが得られる。このシーケンスの最後のＣサンプルが該シーケンスの開始部にコピーされて、Ｋ＋Ｃサンプルを含むＯＦＤＭシンボルが形成される。Ｃ個のコピーされたサンプルは、しばしば、サイクリックプレフィックス又はガードインターバルと呼ばれ、Ｃはサイクリックプレフィックスの長さである。サイクリックプレフィックスは、周波数選択性フェージングに起因する符号間干渉（ＩＳＩ）を抑制するために使われ、該フェージングはシステムの帯域幅に亘って変化する周波数応答である。
【００７８】
ＳＣ−ＦＤＭＡシンボルは以下のように生成することができる。Ｎ個の割当てられたサブバンドにおいて送信されるＮ個の変調シンボルは、Ｎポイントの高速フーリエ変換（ＦＦＴ）、又は離散フーリエ変換（ＤＦＴ）によって周波数領域に変換され、Ｎ個の周波数領域シンボルが得られる。該Ｎ個の周波数領域シンボルは、Ｎ個の割当てられたサブバンドにマップされ、残りのＫ−Ｎ個のサブバンドにはゼロシンボルがマップされる。次に、ＫポイントのＩＦＦＴ又はＩＤＦＴが、Ｋ個の周波数領域シンボル及びゼロシンボルに対して行われ、Ｋ個の時間領域サンプルが得られる。このシーケンスの最後のＣサンプルが該シーケンスの開始部にコピーされて、Ｋ＋Ｃサンプルを含むＳＣ−ＦＤＭＡシンボルが形成される。
【００７９】
送信シンボルはＯＦＤＭシンボル又はＳＣ−ＦＤＭＡシンボルであってもよい。送信シンボルのＫ＋Ｃサンプルは、Ｋ＋Ｃサンプル／チップ期間で送信される。シンボル期間は１つの送信シンボルの継続期間であり、Ｋ＋Ｃサンプル／チップ期間に等しい。
【００８０】
ＯＦＤＭ及びＳＣ−ＦＤＭＡ復調は、技術的に知られているやり方で行うことができる。
【００８１】
本明細書で説明した技術をさまざまな手段によって実施することができる。例えば、これらの技術を、ハードウエア、ファームウエア、ソフトウエア、又はこれらに組み合わせを用いて実施することができる。ハードウエアの実施については、基地局における処理ユニットを、１つ以上の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）プロセッサ、コントローラ、マイクロコントローラ、マイクロプロセッサ、電子デバイス、本明細書に記載の機能を遂行するよう設計された他の電子ユニット、又はこれの組み合わせの中に実装することができる。さらに、端末における処理ユニットも１つ以上のＡＣＩＳ、ＤＳＰ、プロセッサ、等の中に実装されることができる。
【００８２】
ファームウエア及び／又はソフトウエアの実施については、伝送技術は、本明細書に記載の機能を行うモジュール（例えば、手順、機能、等）を用いて実施されることができる。ソフトウエアコードはメモリに格納され、プロセッサによって実行されることができる。該メモリはプロセッサの内部又はプロセッサの外部に実装することができる。
【００８３】
開示された実施形態の上述の説明は、任意の当業者が本発明を製作し使用することが可能なように提示されている。これら実施形態のさまざまな変更は、当業者には容易に分かることであり、本発明の精神及び範囲から逸脱することなく、本明細書で定義された一般的な原理を他の実施形態に適用することができよう。しかして、本発明は、本明細書に示された実施形態に限定されるものでなく、本明細書に開示された原理と新規な特徴とに矛盾しない最大の範囲を認められるものである。
【図面の簡単な説明】
【００８４】
【図１】無線多元接続通信システムを示す図。
【図２】逆方向リンク（ＲＬ）において２つの基地局とソフトハンドオフを行う端末を示す図。
【図３】割当てが適時に受信されるＲＬソフトハンドオフを示す図。
【図４】割当てが遅れて受信されるＲＬソフトハンドオフを示す図。
【図５】ＳＨＯ基地局におけるバッファリングを用いたＲＬソフトハンドオフを示す図。
【図６】ソフトハンドオフを用いた逆方向リンクにおけるＨ−ＡＲＱの伝送を示す図。
【図７】Ｈ−ＡＲＱの伝送に対するＲＬソフトハンドオフを示す図。
【図８】バッファリングを用いたＨ−ＡＲＱの伝送に対するＲＬソフトハンドオフを示す図。
【図９Ａ】割当てを受信したときのＨ−ＡＲＱの伝送に対するＳＨＯ基地局の復号を示す図。
【図９Ｂ】後のデータブロックに対するＳＨＯ基地局の復号を示す図。
【図１０Ａ】無線によるシグナリングを用いた端末による処理を示すフローチャート。
【図１０Ｂ】図１０Ａに示された処理のための装置を示す図。
【図１１Ａ】無線によるシグナリングを用いたＳＨＯ基地局による処理を示すフローチャート。
【図１１Ｂ】図１１Ａに示された処理のための装置を示す図。
【図１２Ａ】バックホールのシグナリングを用いたサービング基地局による処理を示すフローチャート。
【図１２Ｂ】図１２Ａに示された処理のための装置を示す図。
【図１３Ａ】バックホールのシグナリングを用いたＳＨＯ基地局による処理を示すフローチャート。
【図１３Ｂ】図１３Ａに示された処理のための装置を示す図。
【図１４】端末及び２つの基地局のブロック図。
【図１】
2009506726.tif 000003
【図２】
2009506726.tif 000004
【図３】
2009506726.tif 000005
【図４】
2009506726.tif 000006
【図５】
2009506726.tif 000007
【図６】
2009506726.tif 000008
【図７】
2009506726.tif 000009
【図８】
2009506726.tif 000010
【図９Ａ】
2009506726.tif 000011
【図９Ｂ】
2009506726.tif 000012
【図１０Ａ】
2009506726.tif 000013
【図１０Ｂ】
2009506726.tif 000014
【図１１Ａ】
2009506726.tif 000015
【図１１Ｂ】
2009506726.tif 000016
【図１２Ａ】
2009506726.tif 000017
【図１２Ｂ】
2009506726.tif 000018
【図１３Ａ】
2009506726.tif 000019
【図１３Ｂ】
2009506726.tif 000020
【図１４】
2009506726.tif 000021
【国際調査報告】
2009506726.tif 000022
2009506726.tif 000023